【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
通信システムの加入者に提供されるようにリクエストされたサービスのレート付けに使用するためのレート付けデータを決定するコンピュータにより実行される方法において、
通信システムは通信システムの個々の加入者に関するデータを識別する加入者記録を記憶するように構成されている記憶システムと、通信システムを通って信号を伝送するように構成されている複数の切換えノードとを具備し、前記加入者記録は前記サービスに関する１以上の目的地アドレスを識別するデータを含んでおり、前記方法は、
切換えノードがサービスを加入者へ提供するリクエストを受信し、
通信システムがその受信に応答して、受信されたサービスリクエストに対応する目的地アドレスを識別するデータを検索し、
通信システムが目的地アドレスを識別する前記検索されたデータと前記記憶された加入者記録とに基づいて、前記受信されたサービスリクエストに対応するレート付けデータを識別するために記憶システムにアクセスし、
通信システムが識別されたレート付けデータを使用してリクエストされたサービスの価格付けをするステップを含んでいる方法。
【請求項２】
レート付けデータの識別ステップは、サービスリクエストの処理中および／またはサービスの提供中に通信システムにより行われる請求項１記載の方法。
【請求項３】
通信システムが加入者の残高を維持し、方法は、通信システムが識別されたレート付けデータに少なくとも部分的に応じて、加入者の残高に適用される価格付けデータを生成するステップを含んでいる請求項２記載の方法。
【請求項４】
通信システムが価格付けデータを生成し、リクエストされたサービスの提供前またはその提供中に、生成されたデータを加入者の残高に適用する請求項３記載の方法。
【請求項５】
加入者記録はリクエストされたサービスを提供するための少なくとも部分的な料金請求が行われる加入者以外のパーティを識別するデータを含み、通信システムは他のパーティに対する残高を維持し、方法は通信システムが識別されたレート付けデータに少なくとも部分的に応じて他のパーティの残高に適用するための価格付けデータを生成するステップを含んでいる請求項１乃至４のいずれか１項記載の方法。
【請求項６】
通信システムが価格付けデータを生成し、その生成されたデータをリクエストされたサービスの提供前またはその提供中に他のパーティの残高に適用する請求項５記載の方法。
【請求項７】
リクエストされたサービスは計量サービスであり、方法は通信システムが、識別されたレート付けデータに少なくとも部分的にしたがって価格付けデータを適用する頻度を決定するステップを含んでいる請求項１乃至６のいずれか１項記載の方法。
【請求項８】
通信システムが、識別されたレート付けデータに少なくとも部分的にしたがってリクエストされたサービスを加入者に提供するか提供を続けるか否かを決定するステップを含んでいる請求項１乃至７のいずれか１項記載の方法。
【請求項９】
通信システムが、識別されたレート付けデータに少なくとも部分的にしたがって加入者に関連する端末へ送信するメッセージを発生するステップを含んでいる請求項１乃至８のいずれか１項記載の方法。
【請求項１０】
通信システムが、識別されたレート付けデータに少なくとも部分的にしたがって他のパーティに関する端末へ送信するメッセージを発生するステップを含んでいる請求項５乃至９のいずれか１項記載の方法。
【請求項１１】
メッセージの受信に応答して、端末はリクエストされたサービスを加入者へ提供するか否かを示す入力を受信する請求項１０記載の方法。
【請求項１２】
通信システムの加入者に提供されるようにリクエストされたサービスの価格付けに使用されるレート付けデータを記憶するためのデータ記憶システムにおいて、
データ記憶システムは通信システムの個々の加入者に関するデータを識別する加入者記録を記憶するように構成され、前記加入者記録は前記サービスに関係する１以上の目的地アドレスを識別するデータを含んでおり、データ記憶システムはサービスのリクエストの提供前またはその提供中にデータに対するリクエストを受信し、リクエストされたサービスに関連する目的地アドレスにしたがって、リクエストされたサービスの価格付けに使用するためのレート付けデータを出力するように構成されているデータ記憶システム。
【請求項１３】
加入者記録は、サービスのタイプを識別するデータを含んでいる請求項１２記載のデータ記憶システム。
【請求項１４】
加入者記録は、サービスのレート付けに使用される一般的に適用可能なレートからの特別な割引を識別するデータを含んでいる請求項１２または１３記載のデータ記憶システム。
【請求項１５】
加入者記録は、リクエストされたサービスを提供するための少なくとも部分的な料金請求が適用される加入者以外のパーティを識別するデータを含んでいる請求項１２乃至１４のいずれか１項記載のデータ記憶システム。
【請求項１６】
通信システムの加入者に与えられるようにリクエストされたサービスの価格付けで使用されるレート付けデータを決定するための処理システムにおいて、
通信システムの個々の加入者に関連するデータを識別する加入者記録を有している記憶システムにアクセスする手段を具備し、前記加入者記録は前記サービスに関連する１以上の目的地アドレスを識別するデータを含んでおり、処理システムはさらに、
加入者に提供される通信サービスに対するリクエストに関するデータを受信する手段を具備し、
前記サービスリクエストの受信に応答して、処理システムは前記記憶システムにアクセスし、それに関連する目的地アドレスにしたがって受信されたサービスリクエストに対応するレート付けデータを生成するように構成されている処理システム。
【請求項１７】
加入者記録はサービスのタイプを識別するデータを含んでいる請求項１６記載の処理システム。
【請求項１８】
加入者記録は、加入者のネットワークアドレス以外のサービスに関するネットワークアドレスを識別するデータを含んでいる請求項１６または１７記載の処理システム。
【請求項１９】
加入者記録はサービスのレート付けで使用する特別なレートを識別するデータを含んでいる請求項１６乃至１８のいずれか１項記載の処理システム。
【請求項２０】
加入者記録はサービスのレート付けに使用される一般的に適用可能なレートからの特別な割引を識別するデータを含んでいる請求項１６乃至１９のいずれか１項記載の処理システム。
【請求項２１】
加入者記録はリクエストされたサービスを提供するための少なくとも部分的な料金請求が適用される加入者以外のパーティを識別するデータを含んでいる請求項１６乃至２０のいずれか１項記載の処理システム。
【請求項２２】
通信システム内で動作するように構成されている移動体通信装置において、前記通信システムは通信サービスのリクエストを受信するように動作し、前記リクエストは前記サービスに関連する料金請求を少なくとも部分的に徴収するパーティを識別するのに使用するための関連する目的地アドレスを識別するデータを含んでおり、移動体通信装置は前記識別されたパーティに対する前記サービスの一部について料金請求をしようと試みていることを示すデータの受信に応答して、制御データを通信システムに送信し、それによって前記リクエストされたサービスの提供を可能にするか終了する移動体通信装置。
【請求項２３】
前記料金請求を試みていることを表示し、それに応答してユーザ入力を受信するように構成されているユーザインターフェース手段を具備し、移動体通信装置はユーザ入力を前記制御データに変換するように構成されている請求項２２記載の移動体通信装置。